(57)【要約】【課題】遠隔操作装置により操作される電子機器において、ログアウトした遠隔操作装置のユーザーを迅速に再ログインさせる。【解決手段】電子機器に、遠隔操作装置においてログイン情報を入力するログイン操作がユーザーにより行われた場合電子機器にログインしているログインユーザーが存在しなければ当該ユーザーをログインさせ、遠隔操作装置において電子機器から当該ユーザーをログアウトさせるログアウト操作が行われた場合当該ユーザーをログアウトさせるログイン管理部と、ユーザーをログアウトさせた場合ログイン情報を入力せずにログアウトユーザーを再ログインさせる再ログインキーを遠隔操作装置の表示部に表示させる表示制御部とを備え、ログイン管理部は、再ログインキーの操作が行われた場合ログアウトユーザーをログインさせるときに用いたログイン情報を用いてログアウトユーザーをログインさせる。【選択図】図１
2016032149.tif 000002
【特許請求の範囲】
【請求項１】
遠隔操作装置により操作される電子機器であって、
前記遠隔操作装置においてログイン情報を入力するログイン操作がユーザーにより行われた場合、前記電子機器にログインしているログインユーザーが存在しなければ、前記ユーザーを前記電子機器にログインさせ、前記遠隔操作装置において前記電子機器から当該ユーザーをログアウトさせるログアウト操作が行われた場合、当該ユーザーを前記電子機器からログアウトさせるログイン管理部と、
前記ログイン管理部が前記ユーザーを前記電子機器からログアウトさせた場合、前記ログイン情報を入力せずに当該ログアウトさせたログアウトユーザーを再ログインさせる再ログインキーを、前記遠隔操作装置の表示部に表示させる表示制御部と、を備え、
前記ログイン管理部は、前記遠隔操作装置において前記再ログインキーの操作が行われた場合、前記ログアウトユーザーを前記電子機器にログインさせるときに用いた前記ログイン情報を用いて、当該ログアウトユーザーを前記電子機器にログインさせる電子機器。
【請求項２】
前記表示制御部は、前記ログイン管理部が前記ログアウトユーザーを前記電子機器からログアウトさせたときから予め定められた制限時間が経過するまで、前記再ログインキーを前記遠隔操作装置の表示部に表示させる請求項１に記載の電子機器。
【請求項３】
前記表示制御部は、前記ログイン管理部が前記ログアウトユーザーを前記電子機器からログアウトさせたときから前記制限時間が経過するまでに、前記ログアウトユーザーの次に前記電子機器にログインしたネクストユーザーが存在しないとき、又は、前記ネクストユーザーがログインしているときは、前記再ログインキーを前記遠隔操作装置の表示部に表示させる請求項２に記載の電子機器。
【請求項４】
前記表示制御部は、前記ログイン管理部が前記ログアウトユーザーを前記電子機器からログアウトさせたときから前記制限時間が経過するまでに、前記ログアウトユーザーの次に前記電子機器にログインしたネクストユーザーが前記電子機器からログアウトした場合、前記再ログインキーを非表示にさせる請求項２又は３に記載の電子機器。
【請求項５】
前記ログイン管理部は、前記遠隔操作装置において前記再ログインキーの操作が行われた場合、前記ログアウトユーザーの次に前記電子機器にログインしたネクストユーザーがログインしているときは、前記ネクストユーザーがログアウトした直後に、前記ログアウトユーザーを前記ログイン情報を用いて前記電子機器にログインさせる請求項１から４の何れか一項に記載の電子機器。
【発明の詳細な説明】
【技術分野】
【０００１】
本発明は、遠隔操作装置により操作される電子機器に関し、特に、遠隔操作装置のユーザーを電子機器にログインさせる技術に関する。
【背景技術】
【０００２】
従来から、スマートフォンやタブレット端末等の遠隔操作装置を用いて操作可能な、複合機等の画像形成装置やテレビ等の電子機器が知られている。このような電子機器では、遠隔操作装置を用いて不特定のユーザーが電子機器を使用することを回避するため、電子機器にログインしているユーザーにのみ、電子機器を操作させることが行われている。
【０００３】
具体的には、先ず、電子機器にユーザーをログインさせるために、ユーザーが、予め電子機器の使用が許可された認証ユーザーであるか否かの判定処理が行われる。当該判定処理によって認証ユーザーであると判定されたユーザーは、電子機器にログインした状態にされ、電子機器を操作することが可能になる。そして、電子機器の操作を終えたユーザーは、電子機器からログアウトするためのログアウト操作を行う。これにより、他のユーザーが電子機器にログイン可能な状態となる。
【０００４】
上記判定処理では、例えば下記特許文献１乃至３等に記載のように、ユーザーに当該ユーザーを識別するためのユーザーＩＤやパスワード等からなるログイン情報を入力させ、当該入力させたログイン情報が、予め電子機器内に記憶しておいた認証ユーザーに対応するログイン情報に一致するか否かの判定が行われる。そして、当該判定において、一致すると判定されたログイン情報を入力したユーザーは、認証ユーザーであると判定される。
【先行技術文献】
【特許文献】
【０００５】
【特許文献１】特開２００９−１８１２５２号公報
【特許文献２】特開平９−３１９４４８号公報
【特許文献３】特開２００８−２６２３３８号公報
【発明の概要】
【発明が解決しようとする課題】
【０００６】
遠隔操作装置のユーザーは、電子機器の遠隔操作を終えたものとしてログアウト操作を行った直後に、やり残した遠隔操作があることに気付く場合がある。しかし、この場合、当該ユーザーは、既に電子機器からログアウトしているため、やり残した遠隔操作を行うには電子機器に再びログインしなければならなかった。この場合、当該ユーザーは、直前まで電子機器にログインしていた状態であったにも関わらず、ログイン情報を再び入力する手間をかけなければないので、煩わしさを感じる虞があった。
【０００７】
本発明は、上記の問題を解決するためになされたものであり、遠隔操作装置により操作される電子機器であって、ログアウトした遠隔操作装置のユーザーを迅速に再ログインさせることができる電子機器を提供することを目的とする。
【課題を解決するための手段】
【０００８】
本発明による電子機器は、遠隔操作装置により操作される電子機器であって、前記遠隔操作装置においてログイン情報を入力するログイン操作がユーザーにより行われた場合、前記電子機器にログインしているログインユーザーが存在しなければ、前記ユーザーを前記電子機器にログインさせ、前記遠隔操作装置において前記電子機器から当該ユーザーをログアウトさせるログアウト操作が行われた場合、当該ユーザーを前記電子機器からログアウトさせるログイン管理部と、前記ログイン管理部が前記ユーザーを前記電子機器からログアウトさせた場合、前記ログイン情報を入力せずに当該ログアウトさせたログアウトユーザーを再ログインさせる再ログインキーを、前記遠隔操作装置の表示部に表示させる表示制御部と、を備え、前記ログイン管理部は、前記遠隔操作装置において前記再ログインキーの操作が行われた場合、前記ログアウトユーザーを前記電子機器にログインさせるときに用いた前記ログイン情報を用いて、当該ログアウトユーザーを前記電子機器にログインさせる。
【０００９】
本構成によれば、遠隔操作装置においてログイン情報を入力するログイン操作を行って電子機器にログインしたユーザーは、その後、ログアウト操作を行って電子機器からログアウトした場合であっても、ログアウトしてから制限時間が経過するまでの間は、再ログインキーの操作を行うだけで、ログイン情報を入力する手間をかけることなく、迅速に電子機器に再ログインすることができる。
【００１０】
これにより、遠隔操作装置のユーザーは、電子機器の遠隔操作を終えたものとしてログアウト操作を行った後、やり残した電子機器の遠隔操作があることに気付いた場合であっても、迅速に電子機器に再ログインして、当該やり残した遠隔操作を行うことができる。
【００１１】
また、前記表示制御部は、前記ログイン管理部が前記ログアウトユーザーを前記電子機器からログアウトさせたときから予め定められた制限時間が経過するまで、前記再ログインキーを前記遠隔操作装置の表示部に表示させてもよい。
【００１２】
本構成によれば、再ログインキーが不要に長い時間、遠隔操作装置の表示部に表示される虞を軽減することができる。これにより、ログアウトユーザーとは他のユーザーが再ログインキーが表示された遠隔操作装置を使用する虞を軽減することができる。その結果、ログアウトユーザーとは他のユーザーが、再ログインキーを操作して、ログアウトユーザーになりすまして不正にログインする虞を軽減することができる。
【００１３】
また、前記表示制御部は、前記ログイン管理部が前記ログアウトユーザーを前記電子機器からログアウトさせたときから前記制限時間が経過するまでに、前記ログアウトユーザーの次に前記電子機器にログインしたネクストユーザーが存在しないとき、又は、前記ネクストユーザーがログインしているときは、前記再ログインキーを前記遠隔操作装置の表示部に表示させてもよい。
【００１４】
本構成によれば、ネクストユーザーが存在しないとき又はネクストユーザーが電子機器にログインしているときに、つまり、ログアウトユーザーの次に電子機器からログアウトしたユーザーが存在しないときに、再ログインキーを遠隔操作装置の表示部に表示することができる。
【００１５】
これにより、ログアウトユーザーが使用する遠隔操作装置に再ログインキーが表示されているときに、ログアウトユーザーとは他のユーザーが使用する遠隔操作装置に再ログインキーが表示されることを回避することができる。その結果、複数の遠隔操作装置に表示された再ログインキーが同時に操作された場合に、再ログインさせるユーザーを何らかの方法で決定する必要が生じる等、ユーザーを電子機器に再ログインさせるための処理が煩雑化する虞を軽減することができる。
【００１６】
また、前記表示制御部は、前記ログイン管理部が前記ログアウトユーザーを前記電子機器からログアウトさせたときから前記制限時間が経過するまでに、前記ログアウトユーザーの次に前記電子機器にログインしたネクストユーザーが前記電子機器からログアウトした場合、前記再ログインキーを非表示にさせてもよい。
【００１７】
本構成によれば、ネクストユーザーがログアウトして、ログアウトしたユーザーが複数存在するようになった場合に、当該複数のログアウトしたユーザーがそれぞれ使用する複数の遠隔操作装置に再ログインキーが表示されることを回避することができる。これにより、例えば、複数の遠隔操作装置に表示された再ログインキーが同時に操作された場合に、再ログインさせるユーザーを何らかの方法で決定する必要が生じる等、ユーザーを電子機器に再ログインさせるための処理が煩雑化する虞を軽減することができる。
【００１８】
また、前記ログイン管理部は、前記遠隔操作装置において前記再ログインキーの操作が行われた場合、前記ログアウトユーザーの次に前記電子機器にログインしたネクストユーザーがログインしているときは、前記ネクストユーザーがログアウトした直後に、前記ログアウトユーザーを前記ログイン情報を用いて前記電子機器にログインさせてもよい。
【００１９】
本構成によれば、ログアウトユーザーは、再ログインキーを操作した後、遅くても、ネクストユーザーがログアウトするまでの間待機するだけで、再ログインすることができる。つまり、再ログインキーを操作して迅速に再ログインしようとしているユーザーを、長い時間待機させる虞を低減することができる。
【発明の効果】
【００２０】
この発明によれば、遠隔操作装置により操作される電子機器であって、ログアウトした遠隔操作装置のユーザーを迅速に再ログインさせることができる電子機器を提供することができる。
【図面の簡単な説明】
【００２１】
【図１】本発明に係る電子機器の一実施形態に係る複合機の電気的構成を示すブロック図である。
【図２】遠隔操作装置が複合機を遠隔操作するときの動作を示すフローチャートである。
【図３】遠隔操作装置の表示部に表示されるログイン操作画面を示す図である。
【図４】遠隔操作装置の表示部に表示されるユーザー文書操作画面を示す図である。
【図５】再ログイン処理の動作を示すフローチャートである。
【図６】再ログインキーが表示されたログイン操作画面を示す図である。
【発明を実施するための形態】
【００２２】
以下、本発明に係る電子機器の一実施形態を図面に基づいて説明する。尚、本実施形態では、電子機器として複合機を例に説明するが、これに限定する趣旨ではなく、電子機器は、例えば、ファクシミリ装置、コピー機、スキャナー、又はプリンター等の画像処理装置やテレビ等であってもよい。
【００２３】
図１は、本発明に係る電子機器の一実施形態に係る複合機１の電気的構成を示すブロック図である。図１に示すように、複合機１は、画像読取部２１と、画像形成部２２と、操作部２３と、記憶部２４と、通信部２５と、制御部１０と、を備えている。また、複合機１は、スマートフォンやタブレット等の遠隔操作装置９によって遠隔操作可能に構成されている。
【００２４】
画像読取部２１は、ＣＣＤ（Ｃｈａｒｇｅ  Ｃｏｕｐｌｅｄ  Ｄｅｖｉｃｅ）ラインセンサーや露光ランプ等を有する不図示の光学系ユニットを備えている。画像読取部２１は、制御部１０による制御の下、光学系ユニットに原稿の画像を読み取らせ、原稿の画像を表す画像データを生成し、当該画像データを制御部１０へ出力する。
【００２５】
画像形成部２２は、制御部１０による制御の下、制御部１０に入力された画像データが表す画像を用紙に形成する。尚、制御部１０には、上述の画像読取部２１により生成された画像データや、後述の通信部２５が外部装置から受信した画像データ等が入力される。
【００２６】
具体的には、画像形成部２２は、感光体ドラム、感光体ドラムの周面に対向して配設された帯電部、帯電部の下流側であって感光体ドラムの周面に対向して配設された露光部、露光部の下流側であって感光体ドラムの周面に対向して配設された現像部、現像部の下流側であって感光体ドラムの周面に対向して配設されたクリーニング部等を備えた周知の構成を有する。画像形成部２２による、用紙に画像を形成する画像形成動作については、周知であるので、説明を省略する。
【００２７】
操作部２３は、情報を表示するための表示部２３１と、ユーザーに各種操作を行わせるための操作キー部２３２と、を備えている。表示部２３１は、例えばタッチパネル機能を有する液晶ディスプレイ等であり、各種情報を表示する。操作キー部２３２は、例えば、数値や記号を入力するためのテンキーや、表示部２３１に表示されたポインター（カーソル）を移動させるための方向キー等の各種キーを含む。
【００２８】
記憶部２４は、ＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等の記憶装置である。記憶部２４には、予め複合機１の使用が許可されたユーザーである認証ユーザーを認証するためのログイン情報が、複数の認証ユーザーのそれぞれに対応付けて記憶されている。ログイン情報は、例えば、認証ユーザーをそれぞれ識別するためのユーザー名と、当該認証ユーザーを認証するときに入力させるパスワードによって構成されている。
【００２９】
通信部２５は、遠隔操作装置９や不図示のパソコン等の外部装置と制御部１０との間でＬＡＮ（Ｌｏｃａｌ  Ａｒｅａ  Ｎｅｔｗｏｒｋ）等を介して通信を行うための通信インターフェイス回路である。
【００３０】
制御部１０は、複合機１の各部の動作を制御する。具体的には、制御部１０は、所定の演算処理を実行する不図示のＣＰＵ（Ｃｅｎｔｒａｌ  Ｐｒｏｃｅｓｓｉｎｇ  Ｕｎｉｔ）と、所定の制御プログラムが記憶されたＥＥＰＲＯＭ等の不図示の不揮発性メモリーと、データを一時的に記憶するための不図示のＲＡＭ（Ｒａｎｄｏｍ  Ａｃｃｅｓｓ  Ｍｅｍｏｒｙ）と、現在時刻を計時する不図示のタイマーと、これらの周辺回路等を備えている。
【００３１】
制御部１０は、不揮発性メモリー等に記憶された制御プログラムをＣＰＵに実行させることにより、例えば、ログイン管理部１１及び表示制御部１２として動作する。ログイン管理部１１及び表示制御部１２の詳細については後述する。
【００３２】
遠隔操作装置９は、タッチパネル機能を有する液晶ディスプレイ等で構成された表示部９１を備えている。遠隔操作装置９は、複合機１を操作するための操作画面や、操作画面に各種情報を入力するためのソフトウェアキーボード等を表示部９１に表示する。
【００３３】
つまり、遠隔操作装置９のユーザーは、表示部９１に表示された操作画面内のボタンやソフトウェアキーボードをタッチ操作することにより、複合機１に実行させる機能の実行指示を入力する。遠隔操作装置９は、ユーザーにより入力された機能の実行指示を通信部２５を介して制御部１０へ送信する。制御部１０は、遠隔操作装置９から受信した機能の実行指示に従って機能を実行する。このように、遠隔操作装置９は、ユーザーにより入力された機能の実行指示を通信部２５を介して制御部１０へ送信することにより、複合機１を遠隔操作する。
【００３４】
一方、制御部１０は、機能を実行後、当該機能の実行結果に応じて遠隔操作装置９に実行させるべき機能の実行指示を、通信部２５を用いて遠隔操作装置９へ返信する。遠隔操作装置９は、複合機１から返信された機能の実行指示に従って機能を実行する。このように、制御部１０は、通信部２５を用いて、複合機１を遠隔操作した遠隔操作装置９へ機能の実行指示を返信することにより、遠隔操作装置９により行われた遠隔操作の結果に応じて、遠隔操作装置９を動作させる。
【００３５】
以下、遠隔操作装置９が複合機１を遠隔操作するときの動作について説明する。当該説明の中で、ログイン管理部１１及び表示制御部１２の詳細について説明する。図２は、遠隔操作装置９が複合機１を遠隔操作するときの動作を示すフローチャートである。
【００３６】
図２に示すように、制御部１０内のＲＡＭに後述の予約ログイン情報が記憶されていない場合に（Ｓ１；ＮＯ）、遠隔操作装置９においてログイン操作が行われたとする（Ｓ２；ＹＥＳ）。ログイン操作とは、ログイン情報を入力し、当該入力したログイン情報を用いて遠隔操作装置９のユーザーを複合機１にログインさせるログイン指示を、通信部２５を介して制御部１０へ送信する操作を示す。
【００３７】
図３は、遠隔操作装置９の表示部９１に表示されるログイン操作画面Ｗ１を示す図である。具体的には、遠隔操作装置９のユーザーが、表示部９１に表示された複合機１を遠隔操作するアプリケーションソフトウェアを起動するためのアイコンをタッチ操作したとする。この場合、遠隔操作装置９は、図３に示すログイン操作画面Ｗ１を表示部９１に表示する。また、遠隔操作装置９は、不図示のソフトウェアキーボードを表示部９１に表示する。
【００３８】
遠隔操作装置９のユーザーは、上記ソフトウェアキーボードをタッチ操作して、ユーザ名欄Ａ１にユーザー名Ｌ１を入力し、パスワード欄Ａ２にパスワードＬ２を入力する。そして、遠隔操作装置９のユーザーがログインキーＫ１をタッチ操作すると、遠隔操作装置９は、入力されたユーザー名Ｌ１及びパスワードＬ２からなるログイン情報Ｌを含むログイン指示を、通信部２５を介して制御部１０へ送信する。このように、ログイン操作は、ユーザー名Ｌ１及びパスワードＬ２を入力する操作とログインキーＫ１のタッチ操作の二つの操作によって行われる。
【００３９】
遠隔操作装置９においてログイン操作が行われ（Ｓ２；ＹＥＳ）、制御部１０がログイン情報Ｌを含むログイン指示を受信すると、ログイン管理部１１は、受信したログイン指示に従って、当該ログイン指示に含まれるログイン情報Ｌを入力したユーザーを複合機１にログインさせる処理を開始する。ログイン管理部１１は、先ず、複合機１にログインしているログインユーザーが存在するか否かを判定する（Ｓ３）。ステップＳ３の判定方法の詳細については後述する。
【００４０】
ログイン管理部１１は、ステップＳ３において、ログインユーザーが存在しないと判定すると（Ｓ３；ＮＯ）、ログイン指示に含まれるログイン情報Ｌが、記憶部２４に記憶されている認証ユーザーに対応付けられたログイン情報の何れかと一致するか否かを判定する（Ｓ４）。
【００４１】
ステップＳ４において、ログイン管理部１１は、当該ログイン情報Ｌが記憶部２４に記憶されているログイン情報の何れかと一致すると判定した場合（Ｓ４；ＹＥＳ）、当該ログイン情報Ｌを入力した遠隔操作装置９のユーザー（以下、遠隔ユーザーと記載する）が認証ユーザーであると判断する。この場合、ログイン管理部１１は、当該遠隔ユーザーを複合機１にログインさせる（Ｓ６）。
【００４２】
具体的には、ステップＳ６において、ログイン管理部１１は、制御部１０内のタイマーを用いて現在時刻を取得する。ログイン管理部１１は、当該取得した現在時刻を当該遠隔ユーザーが複合機１にログインしたログイン時刻とする。そして、ログイン管理部１１は、遠隔操作装置９から受信したログイン指示に含まれるログイン情報Ｌと、当該ログイン時刻とを対応付けてＲＡＭに記憶する。
【００４３】
ログイン管理部１１が遠隔ユーザーを複合機１にログインさせると（Ｓ６）、表示制御部１２は、各種操作画面の表示機能の実行指示を遠隔操作装置９へ返信する（Ｓ７）。尚、表示制御部１２は、ステップＳ７において、各種操作画面の表示機能の実行指示に、ステップＳ６においてＲＡＭに記憶したログイン情報Ｌに含まれるユーザー名Ｌ１を含めて返信する。また、表示制御部１２は、ステップＳ７において、各種操作画面の表示機能の実行指示に、各種操作画面内に表示する情報を含めて返信する。
【００４４】
遠隔操作装置９は、各種操作画面の表示機能の実行指示を受信すると、当該実行指示に従って各種操作画面を表示部９１に表示する。そして、遠隔ユーザーにより、表示部９１に表示された各種操作画面を用いて各種機能の実行指示が入力され（Ｓ８；ＹＥＳ）、制御部１０へ当該各種機能の実行指示が送信されると、制御部１０は、受信した当該各種機能の実行指示に従って、各種機能を実行する（Ｓ９）。そして、再びステップＳ７が行われる。
【００４５】
図４は、遠隔操作装置９の表示部９１に表示されるユーザー文書操作画面Ｗ２を示す図である。例えば、遠隔操作装置９は、表示制御部１２がステップＳ７において返信したユーザー文書操作画面Ｗ２の表示機能の実行指示を受信したとする。この場合、遠隔操作装置９は、図４に示すユーザー文書操作画面Ｗ２を表示部９１に表示する。
【００４６】
ユーザー文書操作画面Ｗ２には、ユーザー文書操作画面Ｗ２の表示機能の実行指示に含まれたユーザー名Ｌ１と、ユーザー文書リストＤＬと、印刷指示キーＦ１と、送信指示キーＦ２と、結合指示キーＦ３と、移動／コピー指示キーＦ４と、削除指示キーＦ５と、ログアウトキーＫ２と、が表示される。
【００４７】
ユーザー文書リストＤＬには、遠隔ユーザーが過去に複合機１の機能を実行したときに用いた各画像データを示す電子ファイルの名称（図４における文書名欄）と、当該各画像データを用いて機能を実行した日時（図４における日時欄）と、の組み合わせが一覧表示される。ユーザー文書リストＤＬに一覧表示された各組み合わせは、タッチ操作によって選択可能になっている。尚、表示制御部１２は、ステップＳ７において、ユーザー文書リストＤＬに一覧表示する各組み合わせを示す情報を、ユーザー文書操作画面Ｗ２の表示機能の実行指示に含めて返信する。
【００４８】
印刷指示キーＦ１は、ユーザー文書リストＤＬに一覧表示された組み合わせのうち、選択された組み合わせに対応する画像データ（以下、選択画像データと記載する）が表す画像を用紙に形成させる印刷機能の実行指示を入力するために設けられている。送信指示キーＦ２は、選択画像データを他の装置へ送信する送信機能の実行指示を入力するために設けられている。結合指示キーＦ３は、一以上の選択画像データを結合する結合機能の実行指示を入力するために設けられている。移動／コピー指示キーＦ４は、選択画像データの記憶先を移動する又は選択画像データをコピーする機能の実行指示を入力するために設けられている。削除指示キーＦ５は、選択画像データを削除する削除機能の実行指示を入力するために設けられている。
【００４９】
例えば、遠隔ユーザーによって印刷指示キーＦ１がタッチ操作されることにより、選択画像データを用いた印刷機能の実行指示が入力され（Ｓ８；ＹＥＳ）、制御部１０へ当該印刷機能の実行指示が送信されると、制御部１０は、受信した実行指示に従って、選択画像データを用いた印刷機能を実行する（Ｓ９）。具体的には、制御部１０は、ステップＳ９において、画像形成部２２に当該選択画像データが表す画像を用紙に形成させる。
【００５０】
ログアウトキーＫ２は、ユーザー文書操作画面Ｗ２内に表示されたユーザー名Ｌ１が示す遠隔ユーザーを、複合機１からログアウトさせるログアウト指示を入力するために設けられている。
【００５１】
つまり、遠隔ユーザーにより、ログアウトキーＫ２をタッチ操作するログアウト操作が行われると（Ｓ１０；ＹＥＳ）、遠隔操作装置９は、ユーザー名Ｌ１を含むログアウト指示を通信部２５を介して制御部１０へ送信する。ログイン管理部１１は、制御部１０が受信したログアウト指示に従って、当該ログアウト指示に含まれるユーザー名Ｌ１が示す遠隔ユーザーを複合機１からログアウトさせる（Ｓ１１）。
【００５２】
具体的には、ステップＳ１１において、ログイン管理部１１は、制御部１０内のタイマーを用いて現在時刻を取得する。そして、ログイン管理部１１は、当該取得した現在時刻を、当該ログアウト指示に含まれるユーザー名Ｌ１が示す遠隔ユーザーを複合機１からログアウトさせたログアウト時刻とする。そして、ログイン管理部１１は、ＲＡＭに記憶されている当該ユーザー名Ｌ１を含むログイン情報Ｌに、更に、当該ログアウト時刻を対応付けて記憶する。
【００５３】
つまり、ログイン管理部１１は、ステップＳ３において、ログイン時刻が対応付けられ、且つ、ログアウト時刻が対応付けられていないログイン情報Ｌが、ＲＡＭに記憶されているか否かによって、複合機１にログインしているログインユーザーが存在するか否かを判定する。
【００５４】
一方、ログイン管理部１１は、ステップＳ３においてログインユーザーが存在すると判定した場合（Ｓ３；ＹＥＳ）及びステップＳ４においてログイン情報Ｌが記憶部２４に記憶されているログイン情報と一致しないと判定した場合（Ｓ４；ＹＥＳ）、警告表示機能の実行指示を遠隔操作装置９へ返信する（Ｓ５）。
【００５５】
警告表示機能とは、ログインできない旨の警告を示すメッセージを遠隔操作装置９の表示部９１に表示する機能である。遠隔操作装置９は、当該警告表示機能の実行指示を受信すると、ログインできない旨の警告を示すメッセージを表示部９１に表示する。ステップＳ５の実行後は、再びステップＳ１が行われる。
【００５６】
ステップＳ１１において、ログイン管理部１１が遠隔ユーザーを複合機１からログアウトさせると、制御部１０は、図２に示す動作とは別に、ＲＡＭに記憶されている、当該ログアウトされた遠隔ユーザーが入力したユーザー名Ｌ１を含むログイン情報Ｌを用いて、再ログイン処理を実行する（Ｓ１２）。ステップＳ１２の実行後は、再びステップＳ１が行われる。
【００５７】
以下、ステップＳ１２の再ログイン処理の詳細、ステップＳ１、ステップＳ１３、ステップＳ１４の詳細について説明する。尚、以下では、ステップＳ１１において、複合機１からログアウトされた遠隔ユーザーをログアウトユーザーと示す。また、ＲＡＭに記憶されている、ログアウトユーザーが入力したユーザー名Ｌ１を含むログイン情報Ｌを、ログアウトユーザーのログイン情報Ｌと示す。図５は、再ログイン処理の動作を示すフローチャートである。
【００５８】
図５に示すように、ステップＳ１２（図２）において、制御部１０が、ログアウトユーザーのログイン情報Ｌを用いた再ログイン処理の実行を開始すると、表示制御部１２は、再ログインキー表示機能の実行指示を遠隔操作装置９へ返信する（Ｓ２１）。再ログインキー表示機能とは、ログイン情報Ｌを入力せずにログアウトユーザーを再ログインさせる再ログイン指示を入力するための再ログインキーを、遠隔操作装置９の表示部９１に表示する機能である。
【００５９】
表示制御部１２は、ステップＳ２１において、更に、再ログインキー表示機能の実行指示を返信した時刻をＲＡＭに記憶する。また、表示制御部１２は、再ログインキー表示機能の実行指示にログアウトユーザーのログイン情報Ｌに含まれるユーザー名Ｌ１を含めて返信する。
【００６０】
例えば、遠隔ユーザーにより、ログアウト操作が行われ（Ｓ１０（図２）；ＹＥＳ）、当該遠隔ユーザーが複合機１からログアウトされたとする（Ｓ１１（図２））。そして、当該ログアウトユーザーのログイン情報Ｌを用いた再ログイン処理の実行が開始されたとする（Ｓ１２）。図６は、再ログインキーＫＲが表示されたログイン操作画面Ｗ１ａを示す図である。
【００６１】
この場合、ステップＳ２１において、表示制御部１２が再ログインキー表示機能の実行指示を遠隔操作装置９へ返信すると（Ｓ２１）、遠隔操作装置９は、受信した再ログインキー表示機能の実行指示に従って、図６に示すように、再ログインキーＫＲが表示されたログイン操作画面Ｗ１ａを表示部９１に表示する。このとき、遠隔操作装置９は、受信した実行指示に含まれるユーザー名Ｌ１を再ログインキーＫＲのラベルに含めて表示する。
【００６２】
図５に参照を戻す。表示制御部１２は、ＲＡＭに記憶されている、再ログインキー表示機能の実行指示を返信した時刻から現在時刻までの経過時間が、予め定められた制限時間を超えているか否かを判定する（Ｓ２２）。当該制限時間は、遠隔ユーザーが複合機１にログインしてからログアウトするまでに要すると考えられる程度の時間（例えば、５分）に定められ、制御部１０内の不揮発性メモリーに記憶されている。
【００６３】
表示制御部１２は、ステップＳ２２において、上記経過時間が制限時間を超えていないと判定した場合（Ｓ２２；ＮＯ）、複合機１にログインしているログインユーザーが存在するか否かを判定する（Ｓ２３）。
【００６４】
具体的には、表示制御部１２は、ステップＳ２３において、ステップＳ３と同様に、ログイン時刻が対応付けられ、且つ、ログアウト時刻が対応付けられていないログイン情報ＬがＲＡＭに記憶されているか否かによって、複合機１にログインしているログインユーザーが存在するか否かを判定する。
【００６５】
表示制御部１２は、ステップＳ２３において、ログインユーザーが存在すると判定した場合（Ｓ２３；ＹＥＳ）、当該ログインユーザーがログアウトユーザーの次にログインしたネクストユーザーであるか否かを判定する（Ｓ２４）。
【００６６】
具体的には、ステップＳ２４において、表示制御部１２は、先ず、ＲＡＭに記憶されているログイン情報Ｌに対応付けられたログイン時刻のうち、ログアウトユーザーが入力したログイン情報Ｌに対応付けられたログイン時刻を取得する。以下、当該取得したログイン時刻を、ログアウトユーザーのログイン時刻ＴＡと示す。
【００６７】
次に、表示制御部１２は、ＲＡＭに記憶されているログイン情報Ｌに対応付けられたログイン時刻のうち、ステップＳ２３で存在すると判定されたログインユーザーが入力したログイン情報Ｌに対応付けられたログイン時刻を取得する。以下、当該取得したログイン時刻を、ログインユーザーのログイン時刻ＴＢと示す。
【００６８】
そして、ＲＡＭに記憶されているログイン情報Ｌに対応付けられているログイン時刻の中に、ログアウトユーザーのログイン時刻ＴＡからログインユーザーのログイン時刻ＴＢまでの間の時刻ｔ（ＴＡ＜ｔ＜ＴＢ）が存在するとする。この場合、表示制御部１２は、ログアウトユーザーがログインしてからステップＳ２３で存在すると判定されたログインユーザーがログインするまでの間に、ログアウトユーザー及び当該ログインユーザーとは他のユーザーがログインしているので、当該ログインユーザーは、ネクストユーザーではないと判定する（Ｓ２４；ＮＯ）。
【００６９】
一方、ＲＡＭに記憶されているログイン情報Ｌに対応付けられているログイン時刻の中に、ログアウトユーザーのログイン時刻ＴＡからログインユーザーのログイン時刻ＴＢまでの間の時刻ｔ（ＴＡ＜ｔ＜ＴＢ）が存在しないとする。この場合、表示制御部１２は、ログアウトユーザーがログインしてからステップＳ２３で存在すると判定されたログインユーザーがログインするまでの間に、ログアウトユーザー及び当該ログインユーザーとは他のユーザーがログインしていないので、当該ログインユーザーは、ネクストユーザーであると判定する（Ｓ２４；ＹＥＳ）。
【００７０】
表示制御部１２は、ステップＳ２２において、上記経過時間が上記制限時間を超えたと判定した場合（Ｓ２２；ＹＥＳ）、及び、ステップＳ２４において、ログインユーザーはネクストユーザーではないと判定した場合（Ｓ２４；ＮＯ）、再ログインキー非表示機能の実行指示を遠隔操作装置９へ返信する（Ｓ２５）。そして、制御部１０は、当該再ログイン処理を終了する。遠隔操作装置９は、再ログインキー非表示機能の実行指示を受信すると、当該実行指示に従って、ログイン操作画面Ｗ１ａ（図６）に表示していた再ログインキーＫＲを非表示にする。
【００７１】
また、表示制御部１２は、ステップＳ２３においてログインユーザーが存在しないと判定した場合（Ｓ２３；ＮＯ）、ネクストユーザーが存在するか否かを判定する（Ｓ２６）。
【００７２】
具体的には、表示制御部１２は、ステップＳ２６において、ログアウトユーザーが入力したログイン情報Ｌに対応付けられたログイン時刻よりも後の時刻がログイン時刻として対応付けられているログイン情報Ｌが、ＲＡＭに記憶されているか否かによって、ネクストユーザーが存在するか否かを判定する（Ｓ２６）。
【００７３】
つまり、表示制御部１２は、ステップＳ２３において、ログインユーザーが存在しないと判定し（Ｓ２３；ＮＯ）、ステップＳ２６において、ネクストユーザーが存在すると判定した場合（Ｓ２６；ＹＥＳ）、ネクストユーザーが複合機１からログアウトした後であって、且つ、ログインユーザーが存在しない状態であると判断する。この場合（Ｓ２３；ＮＯ、Ｓ２６；ＹＥＳ）も、表示制御部１２は、再ログインキー非表示機能の実行指示を遠隔操作装置９へ返信する（Ｓ２５）。そして、制御部１０は、再ログイン処理を終了する。
【００７４】
一方、表示制御部１２が、ステップＳ２４において、ログインユーザーがネクストユーザーであると判定した場合に（Ｓ２４；ＹＥＳ）、遠隔操作装置９のユーザーにより、再ログインキーＫＲ（図６）をタッチ操作する再ログイン操作が行われたとする（Ｓ２７；ＹＥＳ）。
【００７５】
この場合（Ｓ２７；ＹＥＳ）、遠隔操作装置９は、ログイン情報Ｌを入力せずにログアウトユーザーを再ログインさせる再ログイン指示を通信部２５を介して制御部１０へ送信する。ログイン管理部１１は、制御部１０が受信した再ログイン指示に従って、ログイン情報Ｌを入力せずにログアウトユーザーを再ログインさせる処理の実行を開始する（Ｓ２８）。
【００７６】
具体的には、ステップＳ２８において、ログイン管理部１１は、ログアウトユーザーのログイン情報ＬをＲＡＭから取得する。そして、ログイン管理部１１は、当該取得したログイン情報Ｌを予約ログイン情報としてＲＡＭに記憶する（Ｓ２８）。同様に、表示制御部１２がステップＳ２６においてネクストユーザーが存在しないと判定した場合に（Ｓ２６；ＮＯ）、再ログイン操作が行われたときにも（Ｓ２７；ＹＥＳ）、ステップＳ２８が行われる。そして、制御部１０は、再ログイン処理を終了する。
【００７７】
一方、表示制御部１２が、ステップＳ２４においてログインユーザーがネクストユーザーであると判定した場合（Ｓ２４；ＹＥＳ）、及び、ステップＳ２６においてネクストユーザーが存在しないと判定した場合（Ｓ２６；ＮＯ）に、再ログイン操作が行われないときは（Ｓ２７；ＮＯ）、再びステップＳ２２が行われる。
【００７８】
このように、制御部１０による再ログイン処理が実行され、ステップＳ２８において、ログアウトユーザーのログイン情報Ｌが予約ログイン情報としてＲＡＭに記憶されたとする（Ｓ２８）。この場合、図２に示す動作において、ログイン管理部１１は、ＲＡＭに予約ログイン情報が記憶されているので（Ｓ１；ＹＥＳ）、ステップＳ３と同様にして、複合機１にログインしているログインユーザーが存在するか否かを判定する（Ｓ１３）。
【００７９】
ログイン管理部１１は、ステップＳ１３において、ログインユーザーが存在しないと判定すると（Ｓ１３；ＮＯ）、ＲＡＭに記憶されている予約ログイン情報を、遠隔操作装置９から受信したログイン指示に含まれるログイン情報Ｌとして取得する（Ｓ１４）。そして、ログイン管理部１１は、ＲＡＭに記憶されている予約ログイン情報を削除する。
【００８０】
そして、ログイン管理部１１は、ステップＳ６を実行する。つまり、ログイン管理部１１は、当該ステップＳ６において、ステップＳ１３において遠隔操作装置９から受信したログイン指示に含まれるログイン情報Ｌとして取得した予約ログイン情報と、ログイン時刻とを対応付けてＲＡＭに記憶する。これにより、ログイン管理部１１は、ログイン情報Ｌを入力させずにログアウトユーザーを複合機１に再ログインさせる。
【００８１】
一方、ログイン管理部１１は、ステップＳ１３において、ログインユーザーが存在すると判定した場合（Ｓ１３；ＹＥＳ）、ＲＡＭに記憶されている予約ログイン情報が、ステップＳ２４（図４）においてログインユーザーがネクストユーザーであると判定され（Ｓ２４；ＹＥＳ）、再ログイン操作が行われた場合に（Ｓ２７；ＹＥＳ）、ＲＡＭに記憶された予約ログイン情報であると判断する。
【００８２】
つまり、この場合（Ｓ１３；ＹＥＳ）、ログイン管理部１１は、ネクストユーザーがログインしていると判断し、当該ネクストユーザーがログアウトしてログインユーザーが存在しなくなった直後にステップＳ１４以降の処理を実行できるよう、ステップＳ１０に処理を移す。
【００８３】
つまり、ログイン管理部１１は、遠隔操作装置９においてログイン情報Ｌを入力するログイン操作がユーザーにより行われた場合（Ｓ２；ＹＥＳ）、複合機１にログインしているログインユーザーが存在しなければ（Ｓ３；ＮＯ）、当該ユーザーを複合機１にログインさせ（Ｓ４；ＹＥＳ、Ｓ６）、遠隔操作装置９において複合機１からユーザーをログアウトさせるログアウト操作が行われた場合（Ｓ１０；ＹＥＳ）、当該ユーザーを複合機１からログアウトさせる（Ｓ１１）。
【００８４】
表示制御部１２は、ログイン管理部１１がユーザーを複合機１からログアウトさせた場合（Ｓ１１）、ログイン情報Ｌを入力せずに当該ログアウトさせたログアウトユーザーを再ログインさせる再ログインキーＫＲを、遠隔操作装置９の表示部９１に表示させる（Ｓ２１）。
【００８５】
また、ログイン管理部１１は、遠隔操作装置９において再ログインキーＫＲの操作が行われた場合（Ｓ２７；ＹＥＳ）、ログアウトユーザーを複合機１にログインさせるときに用いたログイン情報Ｌを用いて、当該ログアウトユーザーを複合機１にログインさせる（Ｓ２８、Ｓ１４、Ｓ６）。
【００８６】
このため、遠隔操作装置９においてログイン情報Ｌを入力するログイン操作を行って複合機１にログインしたユーザーは、その後、ログアウト操作を行って複合機１からログアウトした場合であっても、ログアウトしてから制限時間が経過するまでの間は、再ログインキーＫＲの操作を行うだけで、ログイン情報Ｌを入力する手間をかけることなく、迅速に複合機１に再ログインすることができる。
【００８７】
これにより、遠隔操作装置９のユーザーは、複合機１の遠隔操作を終えたものとしてログアウト操作を行った後、やり残した複合機１の遠隔操作があることに気付いた場合であっても、迅速に複合機１に再ログインして、当該やり残した複合機１の遠隔操作を行うことができる。
【００８８】
また、表示制御部１２は、ログイン管理部１１がログアウトユーザーを複合機１からログアウトさせたときから予め定められた制限時間が経過するまで、再ログインキーＫＲを遠隔操作装置９の表示部９１に表示させる（Ｓ２１、Ｓ２２；ＹＥＳ、Ｓ２５）。
【００８９】
このため、再ログインキーＫＲが不要に長い時間、遠隔操作装置９の表示部９１に表示される虞を軽減することができる。これにより、ログアウトユーザーとは他のユーザーが再ログインキーＫＲが表示された遠隔操作装置９を使用する虞を軽減することができる。その結果、ログアウトユーザーとは他のユーザーが、再ログインキーＫＲを操作して、ログアウトユーザーになりすまして不正にログインする虞を軽減することができる。
【００９０】
また、表示制御部１２は、ログイン管理部１１がログアウトユーザーを複合機１からログアウトさせたときから制限時間が経過するまでに（Ｓ２２；ＮＯ）、ログアウトユーザーの次に複合機１にログインしたネクストユーザーが存在しないとき（Ｓ２６；ＮＯ）、又は、ネクストユーザーがログインしているとき（Ｓ２４；ＹＥＳ）は、再ログインキーＫＲを遠隔操作装置の表示部に表示させる（Ｓ２１）。
【００９１】
このため、ネクストユーザーが存在しないとき又はネクストユーザーが複合機１にログインしているときに、つまり、ログアウトユーザーの次に複合機１からログアウトしたユーザーが存在しないときに、再ログインキーＫＲを遠隔操作装置９の表示部９１に表示することができる。
【００９２】
これにより、ログアウトユーザーが使用する遠隔操作装置９に再ログインキーＫＲが表示されているときに、ログアウトユーザーとは他のユーザーが使用する遠隔操作装置９に再ログインキーＫＲが表示されることを回避することができる。その結果、複数の遠隔操作装置９に表示された再ログインキーＫＲが同時に操作された場合に、再ログインさせるユーザーを何らかの方法で決定する必要が生じる等、ユーザーを複合機１に再ログインさせるための処理が煩雑化する虞を軽減することができる。
【００９３】
また、表示制御部１２は、ログイン管理部１１がログアウトユーザーを複合機１からログアウトさせたときから上記制限時間が経過するまでに（Ｓ２２；ＮＯ）、ログアウトユーザーの次に複合機１にログインしたネクストユーザーが複合機１からログアウトした場合（Ｓ２６；ＹＥＳ）、再ログインキーＫＲを非表示にさせる（Ｓ２５）。
【００９４】
このため、ネクストユーザーがログアウトして、ログアウトしたユーザーが複数存在するようになった場合に、当該複数のログアウトしたユーザーがそれぞれ使用する複数の遠隔操作装置９に再ログインキーＫＲが表示されることを回避することができる。これにより、例えば、複数の遠隔操作装置９に表示された再ログインキーＫＲが同時に操作された場合に、再ログインさせるユーザーを何らかの方法で決定する必要が生じる等、ユーザーを複合機１に再ログインさせるための処理が煩雑化する虞を軽減することができる。
【００９５】
また、ログイン管理部１１は、遠隔操作装置９において再ログインキーＫＲの操作が行われた場合、ログアウトユーザーの次に複合機１にログインしたネクストユーザーがログインしているときは（Ｓ２４；ＹＥＳ、Ｓ２７；ＹＥＳ、Ｓ２８、Ｓ１；ＹＥＳ、Ｓ１３；ＹＥＳ）、ネクストユーザーがログアウトした直後に、ログアウトユーザーを、当該ログアウトユーザーが複合機１にログインするときに入力したログイン情報Ｌを用いて複合機１にログインさせる（Ｓ１０；ＹＥＳ、Ｓ１１、Ｓ１；ＹＥＳ、Ｓ１３；ＮＯ、Ｓ１４、Ｓ６）。
【００９６】
このため、ログアウトユーザーは、再ログインキーＫＲを操作した後、遅くても、ネクストユーザーがログアウトするまでの間待機するだけで、再ログインすることができる。つまり、再ログインキーＫＲを操作して迅速に再ログインしようとしているユーザーを、長い時間待機させる虞を低減することができる。
【００９７】
尚、上記実施形態は、本発明に係る実施形態の例示に過ぎず、本発明を上記実施形態に限定する趣旨ではない。例えば、以下に示す、変形実施形態であってもよい。
【００９８】
（１）例えば、遠隔操作装置９において再ログインキーＫＲの操作が行われた場合に、ログアウトユーザーの次に複合機１にログインしたネクストユーザーがログインしているときは、ログイン管理部１１が当該再ログインキーＫＲの操作を無視するようにしてもよい。
【００９９】
つまり、表示制御部１２がステップＳ２４においてログインユーザーがネクストユーザーであると判定した場合は（Ｓ２４；ＹＥＳ）、再ログイン操作が行われたとしても（Ｓ２７；ＹＥＳ）、ステップＳ２８を行わずに、ステップＳ２２に処理を戻すようにしてもよい。この場合、ログイン管理部１１が、ステップＳ２２に処理を戻す前に、再ログイン操作ができない旨のメッセージを表示部９１に表示する機能の実行指示を遠隔操作装置９に返信するようにしてもよい。
【０１００】
（２）また、ログイン管理部１１がログアウトユーザーを複合機１からログアウトさせたときから上記制限時間が経過するまでに、ログアウトユーザーの次に複合機１にログインしたネクストユーザーが複合機１からログアウトした場合に、表示制御部１２が、再ログインキーＫＲを非表示にする処理をしないようにしてもよい。
【０１０１】
つまり、ステップＳ２６を省略し、表示制御部１２がステップＳ２３においてログインユーザーが存在しないと判定した場合には（Ｓ２３；ＮＯ）、ステップＳ２７を実行するようにしてもよい。
【０１０２】
（３）また、ログイン管理部１１がログアウトユーザーを複合機１からログアウトさせたときから制限時間が経過するまでの間は、ネクストユーザーがログアウトした後にログインユーザーが存在している場合であっても、再ログインキーＫＲを遠隔操作装置９の表示部９１に表示させるようにしてもよい。
【０１０３】
つまり、ステップＳ２３、ステップＳ２４、及びステップＳ２６を省略し、ログイン管理部１１がログアウトユーザーを複合機１からログアウトさせたときから制限時間が経過していないときは（Ｓ２２；ＮＯ）、ステップＳ２７を実行するようにしてもよい。
【０１０４】
（４）また、ログイン管理部１１がログアウトユーザーを複合機１からログアウトさせたときから制限時間が経過した後も、表示制御部１２が、再ログインキーＫＲを遠隔操作装置９の表示部９１に表示させるようにしてもよい。つまり、ステップＳ２２〜Ｓ２６を省略し、ステップＳ２１の後、ステップＳ２７を行うようにしてもよい。
【符号の説明】
【０１０５】
１  複合機（電子機器）
１１  ログイン管理部
１２  表示制御部
９  遠隔操作装置
９１  表示部
ＫＲ  再ログインキー
Ｌ  ログイン情報
【図１】
2016032149.tif 000003
【図２】
2016032149.tif 000004
【図３】
2016032149.tif 000005
【図５】
2016032149.tif 000006
【図６】
2016032149.tif 000007
【図４】
2016032149.tif 000008